(57)【要約】【課題】放射能物質により汚染された土壌の処理方法を提供する。【解決手段】放射能物質により汚染された土壌に、放射能物質の溶出を抑止するための不溶化剤、セメント、及び水を、土壌が７１重量％、不溶化剤が４重量％、セメントが１４重量％、水が１１重量％になるように混合する。【選択図】図１
2013068574.tif 000002
【特許請求の範囲】
【請求項１】
放射能物質により汚染された土壌に、前記放射能物質の溶出を抑止するための不溶化剤、セメント及び液体をそれぞれ所定割合で混合することにより、前記土壌の表面線量を低下させる、放射能物質により汚染された土壌の処理方法。
【請求項２】
前記土壌が７１重量％、前記不溶化剤が４重量％、前記セメントが１４重量％、前記液体が１１重量％になるように混合する、
請求項１記載の土壌の処理方法。
【請求項３】
放射能物質により汚染された土壌における前記放射能物質を安定化させる混合物であって、
前記放射能物質の溶出を抑止するための不溶化剤と、セメントと、液体とをそれぞれ所定割合で含む、混合物。
【発明の詳細な説明】
【技術分野】
【０００１】
本発明は、セシウム等の放射能物質により汚染された土壌の表面線量を低下させる土壌の処理方法に関する。
ここに「放射能物質」とは放射線（γ線、α線、β線、中性子線など）を出す物質全般をいい、「表面線量」とは放射能物質を含む土壌又はその容器等の外側表面における放射線の線量率（Ｓｖ／ｈ）をいう。
【背景技術】
【０００２】
原子炉の事故や大気圏核実験により環境中に放出された放射能物質であるセシウム（Ｃｓ）は、イオン態として雨に溶けた状態で土壌に降下する割合が大きいと考えられる。
Ｃｓは、土壌に降下すると、カリウム同様、１価の陽イオンとして振る舞う。土壌は、負の電荷を帯びているために、１価の陽イオンを持つＣｓは、土壌の表面に止まる。土壌に含まれる粘土鉱物の種類によっては、負電荷のある場所が、Ｃｓを閉じ込めるのに好適の大きさを持つものがある。そのため、Ｃｓは他の陽イオンに比べて土壌から離れにくい傾向にある。
【０００３】
大気圏核実験に由来するＣｓ−１３７は、主に１９６０年代に地球全体に拡散して土壌に降下した。日本における水田及び畑土壌のＣｓ−１３７濃度は、降下量の多かった１９６３〜１９６６年をピークに減少しており、作土内における滞留半減時間は水田作土で９〜２４年、畑作土で８〜２６年と報告されている。
なお、Ｃｓ−１３７濃度の減少には、下層への溶脱の他に、放射壊変による減衰も含んでいる。土壌中のＣｓ−１３７の分布を粘土、シルト、砂に分けて調べた例では、半分以上のＣｓ−１３７が粘土画分に存在しており、また、土壌への吸着の強さや様式で分けると、カリウムやアンモニウムイオン等の陽イオンと置き換わることができるイオン交換態が１０％、有機物との結合体が２０％、粘土鉱物等との強固な結合体が７０％と報告されている。
【０００４】
１０年単位で土壌に残留するＣｓは、人体に対して影響を及ぼすことも考えられる。そのために、Ｃｓによる汚染が広がることを防止する必要がある。そこで、Ｃｓを水に不溶化する技術についての要求が高まっている。
【０００５】
特許文献１には、重金属等で汚染された産業廃棄物、土壌等の有害物質を固化処理して、重金属等を固化物に封じ込め、それらの溶出を抑える発明が記載されている。この発明では、水硬性材料に固化助剤及び硫酸第一鉄等の還元性物質を併用し、有害物質に還元性物質を混練した後、水硬性材料と固化助剤を混練することで、重金属等を固化物に封じ込める。
【先行技術文献】
【特許文献】
【０００６】
【特許文献１】特開平０９−１５０１２７号公報
【発明の概要】
【発明が解決しようとする課題】
【０００７】
特許文献１の技術では、重金属の封じ込めに対しては、ある程度の効果を期待できる。しかし、Ｃｓ−１３７のような放射能物質に対しては、単なる封じ込めの他に、放射線の表面線量を低減させなければ安定化した処理とはいえない。この点、特許文献１では、放射線の表面線量については考慮されておらず、期待できない。
【０００８】
本発明は、このような問題を解決するために、Ｃｓ等の放射能物質により汚染された汚泥を安定化して処理する技術を提供することを課題とする。
【課題を解決するための手段】
【０００９】
以上の課題を解決する本発明の土壌の処理方法は、放射能物質により汚染された土壌に、前記放射能物質の溶け出しを抑止する不溶化剤、セメント、及び液体をそれぞれ所定割合で混合することにより、前記土壌における表面線量を低下させることを特徴とする。
好適には、前記土壌が７１重量％、前記不溶化剤が４重量％、前記セメントが１４重量％、前記液体が１１重量％になるように混合する。
【００１０】
本発明は、また、放射能物質により汚染された土壌における前記放射能物質を安定化させる混合物を提供する。この混合物は、前記放射能物質の溶出を抑止するための不溶化剤と、セメントと、液体とをそれぞれ所定割合で含む。
【００１１】
このように放射能物質により汚染された土壌を上記混合物を用いて処理することで、現在、災害や事故により仮置きされている放射能物質により汚染された土壌を、放射線の表面線量を低減させながら固化することができる。固化により土壌の飛散防止につながり、ハンドリング性が向上する。さらに、この混合物を埋設した場合でも、土壌が溶出することなく、埋設地の地質汚染の可能性も低くなる。
【発明の効果】
【００１２】
以上のように、本発明によれば、不溶化剤、セメント、及び液体を放射能物質により汚染された土壌に混合することで、放射線の表面線量を低減させ、安定化して処理することができるという特有の効果を奏することができる。
【図面の簡単な説明】
【００１３】
【図１】試料Ａ、Ｂ、Ｃにおける各構成物の構成比率及び表面線量の測定結果を表す図。
【発明を実施するための形態】
【００１４】
本発明の実施形態では、放射能物質で汚染された土壌に、不溶化剤、セメント、及び水を混合した混合物を拡散させた。
【００１５】
不溶化剤には、重金属等の汚染物質をセメント固化時に封じ込め、拡散、溶出を防止できるものがよい。また、セメント固化時にセメントの使用量を削減でき、粒状からブロックまで、様々な形に成形可能で、セメントの強度を向上させるものが好ましい。このような理由から、本実施形態では、不溶化剤として株式会社ゲオドール・ジャパン製のゲオドール（登録商標）を用いるが、同様の性質も持てばこれに限るものでは無い。
【００１６】
汚染土壌を試料Ａ、汚染土壌にセメント、及び水を混合した混合物を試料Ｂ、汚染土壌に、ゲオドール、セメント、及び水を混合した混合物を試料Ｃとして、それぞれの放射線の表面線量を測定した。試料Ａ、Ｂ、Ｃにおける各構成物の構成比率及び表面線量の測定結果を図１に示す。なお、測定時のバックグラウンドの線量は０．１０［μＳｖ／ｈ］であった。
【００１７】
図１からわかるように、汚染土壌自体からは、０．２５［μＳｖ／ｈ］の放射線が放射されている。これに対して、不溶化剤（ゲオドール）を混合することで、試料Ｃにおいては、表面線量がバックグラウンドの線量と同値である０．１０［μＳｖ／ｈ］である。つまり、試料Ｃからは殆ど放射線が放射されなくなった。
【００１８】
このように、不溶化剤（ゲオドール）を混合することで、放射線の表面線量を低減しつつ、汚染土壌を固化することで不溶化し、汚染土壌に含まれる放射能物質を安定化させることができる。
【図１】
2013068574.tif 000003